(57)【要約】【課題】塵埃を含む空気がハウジングとフィルタ装置との隙間を通って収容室に進入することを抑制できる集塵装置を提供する。【解決手段】モータを収容するハウジング１１と、ハウジング１１内に収容されてモータにより回転されるファン２５と、ハウジング１１の内部に配置され、かつ、ハウジング１１の内部に吸入される空気から塵埃を取り除くフィルタ装置６２と、を有する、集塵装置１０であって、ハウジング１１に設けられた支持部３３と、フィルタ装置６２に設けられ、かつ、支持部３３と同心状に配置される筒部６７と、支持部３３により支持にされ、かつ、支持部３３を支持する環状のシール部材５１と、シール部材５１の全周に設けられたリップ部５３と、を有し、支持部３３とシール部材５１とが接触して形成される第１シール部５５と、リップ部５３と筒部６７とが接触して形成される第２シール部６９と、を備えている。【選択図】図２
2018068726.tif 000002
【特許請求の範囲】
【請求項１】
モータを収容するハウジングと、前記ハウジング内に収容されて前記モータにより回転されるファンと、前記ハウジングの内部に配置され、かつ、前記ハウジングの内部に吸入される空気から塵埃を取り除くフィルタ装置と、を有する、集塵装置であって、
前記ハウジングに設けられ、かつ、前記モータを収容する収容室と、
前記ハウジングに設けられた筒形状の支持部と、
前記フィルタ装置に設けられ、かつ、前記支持部と同心状に配置される筒部と、
前記支持部により支持され、かつ、前記筒部を支持する環状のシール部材と、
前記シール部材に設けられた環状のリップ部と、
を有し、
前記支持部と前記シール部材とが接触して形成される第１シール部と、
前記リップ部と前記筒部とが接触して形成される第２シール部と、
を備えている、集塵装置。
【請求項２】
前記ハウジングは、
前記収容室を有するモータケースと、
前記モータケースに取り付けられ、かつ、前記フィルタ装置を覆うカバーと、
前記カバーに設けられ、かつ、前記カバーの内部と外部とをつなぐ吸気ノズルと、
を有し、
前記支持部、前記シール部材及び前記筒部は、前記モータの回転中心となる軸線を中心として同心状に配置され、
前記フィルタ装置を通過した空気を前記収容室に導く通気路が、前記ハウジング内に設けられている、請求項１記載の集塵装置。
【請求項３】
前記支持部は、前記筒部の径方向で前記筒部の外側に配置され、
前記シール部材は、前記筒部の径方向で前記支持部と前記筒部との間に配置され、
前記支持部は、前記カバーの内部に配置され、
前記シール部材の外周面に、前記支持部の内周面に接触して前記第１シール部を形成する環状の凸部が設けられ、
前記リップ部は、前記シール部材の内周面に設けられており、
前記リップ部は、前記筒部の外周面に接触して前記第２シール部を形成する、請求項２記載の集塵装置。
【請求項４】
前記凸部は、前記軸線方向に間隔をおいて複数設けられている、請求項３記載の集塵装置。
【請求項５】
前記リップ部は、前記軸線方向に間隔をおいて複数設けられている、請求項３または４記載の集塵装置。
【請求項６】
前記モータケースは、前記収容室と前記カバーの内部とを仕切る壁部を有し、
前記フィルタ装置は、前記軸線方向で前記壁部と前記吸気ノズルとの間に配置されている、請求項２乃至５の何れか１項記載の集塵装置。
【請求項７】
前記フィルタ装置は、前記筒部が前記壁部に接触して前記軸線方向に位置決めされ、
前記シール部材は、前記壁部に接触して前記軸線方向に位置決めされている、請求項６記載の集塵装置。
【請求項８】
前記リップ部は、基部よりも先端部が前記軸線方向で前記モータに近くなる向きで傾斜している、請求項７記載の集塵装置。
【請求項９】
前記モータケースは、前記筒部の径方向で前記筒部の内側に配置される規制部を有し、
前記規制部は、前記フィルタ装置が前記軸線に対して交差する方向の移動を規制する、請求項３乃至８の何れか１項記載の集塵装置。
【請求項１０】
前記フィルタ装置は、
前記塵埃を除去するフィルタと、
前記フィルタが取り付けられ、かつ、前記フィルタの形状を保持する骨格部と、
を備えている、請求項１乃至９の何れか１項記載の集塵装置。
【発明の詳細な説明】
【技術分野】
【０００１】
本開示は、モータにより回転されるファンと、ファンの回転によりハウジングの内部に吸入される空気から塵埃を取り除くフィルタ装置と、を有する集塵装置に関する。
【背景技術】
【０００２】
従来、モータにより回転されるファンと、ファンの回転によりハウジングの内部に吸入される空気から塵埃を取り除くフィルタ装置と、を有する集塵装置が知られている。その集塵装置の例が特許文献１に記載されている。特許文献１に記載された集塵装置は、ハウジングを備えている。ハウジングは、収容室を有するモータケースと、モータケースに着脱可能なダストケースと、を備えている。電動モータが収容室内に設けられている。モータケースの回転軸にファンが固定されている。モータケースは第１スリーブを有し、ダストケースは第１スリーブに取り付けられている。排気口がモータケースに設けられている。
【０００３】
第１スリーブは内向きフランジを有し、内向きフランジの内周端に第２スリーブが設けられている。ダストケース内にフィルタ装置が設けられている。フィルタ装置は、プレフィルタと濾材とを備えている。プレフィルタは、合成樹脂製のホルダに、金属製のメッシュを筒状に配置したものであり、かつ、通気性を備えている。濾材は、プレフィルタの内側に配置され、かつ、不織布を筒状に成形したものである。フィルタ装置は、第１スリーブと第２スリーブとの間に配置された状態で、モータケースに取り付けられている。ダストケースに吸い込みノズルが設けられている。
【０００４】
電動モータの回転軸が回転してファンが回転すると、ダストケース内が負圧となり、吸引力が発生する。このため、ハウジングの外部の空気及び異物は、吸い込みノズルを通りダストケース内に吸い込まれる。ダストケース内に吸い込まれた空気は、フィルタ装置を通過し、かつ、ファンに吸い込まれる。ダストケース内に吸い込まれた空気がフィルタ装置を通過する際に、塵埃が除去される。塵埃が除去された空気は収容室内へ吸い込まれた後、排気口を経由してハウジングの外部に排出される。
【先行技術文献】
【特許文献】
【０００５】
【特許文献１】特開２０１６−６７６６４号公報
【発明の概要】
【発明が解決しようとする課題】
【０００６】
しかし、特許文献１に記載された集塵装置は、塵埃を含む空気がフィルタ装置とハウジングとの隙間を通って収容室に進入する可能性があった。
【０００７】
本開示の目的は、塵埃を含む空気がハウジングとフィルタ装置との隙間を通って収容室に進入することを抑制できる、集塵装置を提供することである。
【課題を解決するための手段】
【０００８】
一実施形態の集塵装置は、モータを収容するハウジングと、前記ハウジング内に収容されて前記モータにより回転されるファンと、前記ハウジングの内部に配置され、かつ、前記ハウジングの内部に吸入される空気から塵埃を取り除くフィルタ装置と、を有する、集塵装置であって、前記ハウジングに設けられ、かつ、前記モータを収容する収容室と、前記ハウジングに設けられた筒形状の支持部と、前記フィルタ装置に設けられ、かつ、前記支持部と同心状に配置される筒部と、前記支持部により支持され、かつ、前記筒部を支持する環状のシール部材と、前記シール部材に設けられた環状のリップ部と、を有し、前記支持部と前記シール部材とが接触して形成される第１シール部と、前記リップ部と前記筒部とが接触して形成される第２シール部と、を備えている。
【発明の効果】
【０００９】
一実施形態の集塵装置は、ハウジングとフィルタ装置との隙間を、第１シール部と第２シール部とによりシールできる。したがって、塵埃を含む空気がハウジングとフィルタ装置との隙間を通って収容室に進入することを抑制できる。
【図面の簡単な説明】
【００１０】
【図１】本発明の一実施形態である集塵装置を示す正面断面図である。
【図２】図１の集塵装置の要部を示す正面断面図である。
【図３】図２の要部を示す拡大断面図である。
【図４】ダストケースを取り外した集塵装置の部分的な平面図である。
【図５】図１のＶ−Ｖ線における側面断面図である。
【図６】ダストケースの側面図である。
【図７】図１のVII −VII 線における側面断面図である。
【図８】フィルタ装置をモータケースに取り付ける前の側面断面図である。
【図９】シール部材をモータケースに取り付ける前の側面断面図である。
【発明を実施するための形態】
【００１１】
以下、一実施形態である集塵装置を図面を参照して説明する。
【００１２】
図１に示す集塵装置１０は、ハウジング１１を備えている。ハウジング１１は、モータケース１２と、モータケース１２に取り付け及び取り外しが可能なダストケース１３と、を備えている。
【００１３】
モータケース１２は合成樹脂製である。モータケース１２はグリップ１４及び装着部１５を有する。モータケース１２内に収容室１６が形成され、電動モータ１７が収容室１６に配置されている。モータケース１２は排気口７１を有し、排気口７１は収容室１６と、モータケース１２の外部とをつなぐ。モータホルダ１８がモータケース１２に固定され、モータホルダ１８は電動モータ１７を支持する。電動モータ１７は、ロータ及びステータを内蔵したモータ本体１９と、ロータに接続された回転軸２０と、を備えている。軸線Ａ１は回転軸２０の回転中心を示す。
【００１４】
電池パック２１は、装着部１５に取り付け及び取り外しが可能である。電池パック２１は直流電源であり、電池セルを収容している。電池パック２１は電池側端子を有し、装着部１５はハウジング側端子を有する。電池パック２１が装着部１５に取り付けられると、電池側端子はハウジング側端子に接続される。電池パック２１を装着部１５から取り外すと、電池側端子はハウジング側端子から離れる。
【００１５】
トリガ２２及びトリガスイッチ２３が、グリップ１４に設けられている。作業者がグリップ１４を手で握り、作業者がトリガ２２に操作力を加えると、トリガスイッチ２３はオンする。トリガ２２に加えた操作力を解除すると、トリガスイッチ２３はオフする。制御部２４が収容室１６内に設けられている。制御部２４は、トリガスイッチ２３、電動モータ１７及びハウジング側端子に接続されている。制御部２４は、入出力インタフェース、中央演算処理部、記憶部を有するマイクロコンピュータである。
【００１６】
集塵ファン２５が収容室１６内に設けられ、集塵ファン２５は回転軸２０に固定されている。集塵ファン２５は、回転軸２０の動力で軸線Ａ１を中心として回転する。集塵ファン２５は遠心ファンである。図２に示すように、集塵ファン２５は、吸い込み口２６と、吸い込み口２６に接続された通気路２７と、通気路２７に接続された吐出口２８と、を備えている。
【００１７】
ファンカバー２９が収容室１６内に設けられ、ファンカバー２９はモータホルダ１８に取り付けられている。ファンカバー２９は集塵ファン２５を囲んでいる。ファンカバー２９は、軸線Ａ１を中心とする筒部３０と、筒部３０の開口端に設けた枠３１と、を有する。枠３１により通気路３２が形成されている。通気路３２は、吸い込み口２６につながっている。
【００１８】
モータケース１２は、図２及び図３のように、スリーブ３３，３５、壁部３４及び内向きフランジ３６を有する。スリーブ３３は、モータケース１２において軸線Ａ１方向の端部からダストケース１３に向けて突出されている。スリーブ３５は、スリーブ３３の内側に配置され、スリーブ３３，３５は軸線Ａ１を中心として同心状に配置されている。壁部３４は、スリーブ３３の内周端から、軸線Ａ１に直角な方向に突出している。壁部３４は、スリーブ３３の内周端に接続され、かつ、環状に設けられている。スリーブ３３とスリーブ３５との間に、環状の凹部５０が形成されている。
【００１９】
スリーブ３５は壁部３４の内周端に接続されている。スリーブ３５内に通気路３７が形成されている。通気路３７は通気路３２につながっており、空気が通る。ファンカバー２９の筒部３０は、スリーブ３５内に配置されている。内向きフランジ３６は、スリーブ３５の内面から軸線Ａ１に向けて突出し、かつ、スリーブ３５の全周に亘って環状に設けられている。内向きフランジ３６の内径は、筒部３０の外径よりも大きい。
【００２０】
ダストケース１３をモータケース１２に固定する構造を説明する。図４のように、スリーブ３３の外周に、ガイド溝３８及び突起３９が設けられている。ガイド溝３８は、図５のように、スリーブ３３の円周方向における所定の範囲に形成されている。図４のように、突起３９はスリーブ３３に沿ってガイド溝３８と同じ範囲に設けられている。ガイド溝３８の円周方向の一端から、スリーブ３３の先端に向けて延ばされた出入り口４０が設けられている。出入り口４０は、ガイド溝３８からスリーブ３３の先端まで到達する切り欠きである。ガイド溝３８における円周方向の端部に内壁４１が設けられている。ガイド溝３８、出入り口４０及び突起３９を１組として、スリーブ３３の円周方向に２組設けられている。
【００２１】
次に、図１に示すダストケース１３の構造を説明する。ダストケース１３は、合成樹脂を筒形状に一体成形した要素であり、ダストケース１３の開口端４３がスリーブ３３に取り付けられる。壁部３４は、ダストケース１３の内部４４と、収容室１６とを仕切る。また、ダストケース１３は吸気ノズル４２を備えている。吸気ノズル４２は、軸線Ａ１に沿った方向で、開口端４３とは反対側に設けられている。開口端４３の内径は、スリーブ３３の外径よりも大きく、開口端４３がスリーブ３３の外周に取り付けられる。吸気ノズル４２は吸気路７２を形成する。吸気路７２は、ダストケース１３の内部４４と、ハウジング１１の外部４５とをつなぐ。ダストケース１３の内部４４に逆止弁４６が設けられている。逆止弁４６は吸気ノズル４２に取り付けられており、空気圧で開閉する。
【００２２】
図６及び図７のように、ダストケース１３の内面に、円周方向に間隔をおいて３個のマウント４７が設けられている。３個のマウント４７はダストケース１３と一体に設けられている。３個のマウント４７は、軸線Ａ１を中心とする円周方向に、１２０度の間隔で配置されている。また、マウント４７は軸線Ａ１に沿った方向で、所定の長さに配置されている。３個のマウント４７は、ブレード４８をそれぞれ支持している。３個のブレード４８は、ゴム状弾性体によりそれぞれ成形されており、３個のブレード４８は、３個のマウント４７にそれぞれ固定されている。ダストケース１３の開口端４３の内面に突起４９が設けられている。突起４９は、軸線Ａ１を中心とする円周方向で２箇所に設けられている。突起４９は、図４に示す出入り口４０に対して進入及び退出可能であり、突起４９は、ガイド溝３８内で円周方向に移動可能である。
【００２３】
図２及び図３のように、凹部５０にシール部材５１が配置されている。シール部材５１は、天然ゴム製、または、合成ゴム製である。合成ゴムとしては、アクリロニトリルブタジエンゴム、シリコンゴム、クロロプレンゴム、ウレタンゴムを用いることができる。シール部材５１は環状であり、シール部材５１は、凸部５２、リップ部５３及び外向きフランジ５４を有する。凸部５２はシール部材５１の外周面から径方向で外側に向けて突出している。凸部５２は軸線Ａ１方向に間隔をおいて複数設けられている。凸部５２の外径は、スリーブ３３の内径よりも大きく、凸部５２がスリーブ３３の内周面７３に押し付けられて第１シール部５５を形成する。
【００２４】
リップ部５３はシール部材５１の内周面５８から内側に向けて突出している。リップ部５３は環状であり、リップ部５３は基部５６及び先端部５７を有する。リップ部５３はシール部材５１の内周面５８に対して傾斜している。リップ部５３は、軸線Ａ１方向で先端部５７が基部５６よりも電動モータ１７に近くなる向きで傾斜している。シール部材５１の軸線Ａ１方向の端面６０が壁部３４に接触し、外向きフランジ５４がスリーブ３３の端面６１に接触して、シール部材５１が軸線Ａ１方向に位置決めされている。
【００２５】
図１のように、フィルタ装置６２がダストケース１３の内部４４に配置されている。フィルタ装置６２は、図８のように、フィルタハウジング６３及びフィルタ６４を有する。フィルタハウジング６３は合成樹脂製であり、筒部６７と、筒部６７から軸線Ａ１方向に延ばされた腕部６５と、腕部６５に接続されたエンド部６６と、を有する。腕部６５は、図７のように筒部６７の円周方向に間隔をおいて複数設けられている。腕部６５は、軸線Ａ１方向で筒部６７とエンド部６６との間に配置されている。エンド部６６は腕部６５同士を接続する枠体である。
【００２６】
フィルタ６４は、合成樹脂、例えば、ポリエステル製の織布、不織布等で構成されており、フィルタ６４は通気性を有する。フィルタ６４は袋形状であり、フィルタハウジング６３はフィルタ６４内に配置されている。筒部６７の一部はフィルタ６４の外に配置されている。フィルタ６４は糸６８により筒部６７に縫合されて、フィルタ６４の形状は、フィルタハウジング６３により筒状に保持されている。
【００２７】
フィルタハウジング６３の筒部６７の内径は、スリーブ３５の外径よりも大きく、筒部６７の外径は、リップ部５３の内径以上である。図３のように、フィルタハウジング６３の筒部６７は、凹部５０に配置される。筒部６７の軸線Ａ１方向の端部７０が壁部３４に接触し、フィルタ装置６２は軸線Ａ１方向でモータケース１２に対して位置決めされる。筒部６７は、シール部材５１とスリーブ３５との間に位置する。リップ部５３が筒部６７の外周面に接触して、第２シール部６９を形成する。
【００２８】
集塵装置１０の組み立て手順は次の通りである。作業者は、図９のようにモータケース１２のスリーブ３３，３５と、シール部材５１とを軸線Ａ１を中心として同心状に配置する。そして、作業者は、シール部材５１を軸線Ａ１に沿って平行に移動し、シール部材５１を、モータケース１２の凹部５０内に進入させる。すると、シール部材５１の凸部５２がスリーブ３３に接触して弾性変形し、凸部５２がスリーブ３３の内周面７３に押し付けられる。
【００２９】
その後、図８のように、シール部材５１の端面６０が壁部３４に接触し、かつ、外向きフランジ５４が端面６１に接触すると、シール部材５１はモータケース１２に対して軸線Ａ１方向に位置決めされる。シール部材５１がモータケース１２に取り付けられた状態で、リップ部５３はスリーブ３５に接触していない。
【００３０】
次いで、作業者は、図８のように、モータケース１２のスリーブ３３，３５と、フィルタ装置６２とを軸線Ａ１を中心として同心状に配置する。そして、作業者は、フィルタ装置６２を軸線Ａ１に沿って平行に移動し、筒部６７を凹部５０内に進入させる。
【００３１】
筒部６７を凹部５０に進入する際、モータケース１２とフィルタ装置６２とが同心状に配置されていないと、筒部６７がスリーブ３５に接触することで、モータケース１２とフィルタ装置６２とが同心状に配置される。スリーブ３５は、フィルタ装置６２が軸線Ａ１に対して交差する方向に移動することを規制する。筒部６７がリップ部５３とスリーブ３５との間に進入し、リップ部５３が筒部６７の外周面に接触して弾性変形する。
【００３２】
その後、図３のように、筒部６７の端部７０が壁部３４に接触すると、フィルタ装置６２はモータケース１２に対して軸線Ａ１方向に位置決めされる。また、リップ部５３の先端部５７は、筒部６７の外周面に押し付けられて第２シール部６９を形成する。このように、フィルタ装置６２は、筒部６７の外周面がリップ部５３に環状に接触した箇所、筒部６７の端部７０が壁部３４に環状に接触した箇所という、軸線Ａ１方向の異なる２箇所で支持され、フィルタ装置６２がモータケース１２に取り付けられている。
【００３３】
次に、ダストケース１３をモータケース１２に取り付ける作業を説明する。作業者は、モータケース１２とダストケース１３とを軸線Ａ１を中心として同心状に配置し、かつ、モータケース１２とダストケース１３とを近づけ、図６に示す突起４９を、図４に示す出入り口４０に進入させる。
【００３４】
その後、作業者は、ダストケース１３をモータケース１２に対して軸線Ａ１を中心として回転させる。すると、突起４９がガイド溝３８に沿ってスリーブ３３の円周方向に移動し、突起４９が内壁４１に接触して、ダストケース１３が停止する。突起４９と突起３９とが軸線Ａ１方向で係合する。つまり、ダストケース１３はモータケース１２に対して、軸線Ａ１に沿った方向に位置決め固定され、図１に示す集塵装置１０の組み立てが完了する。ダストケース１３をモータケース１２に取り付けると、ダストケース１３はフィルタ装置６２を覆う。また、図７のように、ブレード４８の先端はフィルタ６４に接触する。
【００３５】
次に、集塵装置１０の使用例を説明する。作業者がグリップ１４を手で握り、トリガ２２に操作力を加えてトリガスイッチ２３をオンすると、電池パック２１の電力が電動モータ１７に供給され、回転軸２０が回転する。回転軸２０と共に集塵ファン２５が回転すると、ダストケース１３の内部４４が負圧となり、吸引力が発生する。また、逆止弁４６が吸気路７２を開く。このため、ハウジング１１の外部４５の空気及び異物は、吸気ノズル４２の吸気路７２を通りダストケース１３の内部４４に吸入される。
【００３６】
ダストケース１３の内部４４に吸い込まれた空気は、フィルタ装置６２を外側から内側に向けて通過する。フィルタ装置６２を通過した空気は、通気路３７、通気路３２を経て集塵ファン２５に吸い込まれる。空気がフィルタ装置６２を通過する際に、塵埃が捕捉される。塵埃はダストケース１３の内部４４に溜まる。集塵ファン２５の吐出口２８から吐出された空気は、収容室１６に進入し、排気口７１を経由してハウジング１１の外部４５に排出される。
【００３７】
なお、トリガ２２に加えた操作力が解除されると、トリガスイッチ２３がオフし、電池パック２１の電力は電動モータ１７に供給されず、回転軸２０は停止する。
【００３８】
集塵装置１０は、図３のようにシール部材５１の凸部５２とスリーブ３３とが接触して形成した第１シール部５５と、リップ部５３と筒部６７とが接触して形成した第２シール部６９と、を有する。このため、ダストケース１３の内部４４の空気が、シール部材５１とスリーブ３３との隙間、シール部材５１と筒部６７との隙間を通り、通気路３７に至ることを防止できる。つまり、ダストケース１３の内部４４の空気は、フィルタ装置６２を通過して塵埃が除去された後、通気路３７に至る。したがって、スリーブ３３と筒部６７との間のシール性を向上でき、ダストケース１３の内部４４の空気が、塵埃を除去されずにモータケース１２内、特に、収容室１６に進入することを防止できる。
【００３９】
また、筒部６７の端部７０が壁部３４から離れていたとしても、ダストケース１３の内部４４の空気が第１シール部５５及び第２シール部６９を通過しない限り、内部４４の空気が筒部６７の端部７０と壁部３４との隙間に進入することは無い。したがって、シール性を一層向上できる。
【００４０】
さらに、リップ部５３はシール部材５１の全周に亘って設けられ、リップ部５３により筒部６７が支持されている。このため、リップ部５３の円周方向の一部が、筒部６７の外周面から離れることを防止でき、第２シール部６９のシール性が低下することを抑制できる。さらに、シール部材５１は、リップ部５３を介してフィルタ装置６２を支持する機能を有する。このため、フィルタ装置６２を支持する機構を専用で設けずに済み、フィルタ装置６２をモータケース１２に取り付ける際の作業性が向上する。また、部品点数の増加を抑制できる。
【００４１】
また、リップ部５３は、シール部材５１の内周面５８に対して傾斜している。リップ部５３の傾斜の向きは、軸線Ａ１方向で先端部５７が基部５６よりも電動モータ１７に近くなる向きである。このため、図１及び図２のように、フィルタ装置６２がモータケース１２に取り付けられている状態で、図３に示すフィルタ装置６２に対して、軸線Ａ１方向で壁部３４から離れる向きの力が加わった場合、リップ部５３の先端部５７と筒部６７の外周面との接触箇所の摩擦抵抗が増加する。したがって、フィルタ装置６２がモータケース１２から外れることを抑制できる。
【００４２】
一方、図８のように、シール部材５１をモータケース１２に取り付けた状態で、フィルタ装置６２を軸線Ａ１方向に移動して、筒部６７を凹部５０内に進入する際、リップ部５３が基部５６を支点として壁部３４に向けて弾性変形し易い。このため、筒部６７の外周面と、リップ部５３の先端部５７との接触箇所の摩擦抵抗が低減する。したがって、フィルタ装置６２をモータケース１２に取り付ける際の操作力を軽減でき、作業を容易に行うことができる。
【００４３】
さらに、フィルタ装置６２をモータケース１２に取り付ける際、または、筒部６７を凹部５０から退出させて、フィルタ装置６２をモータケース１２から取り外す際に、凸部５２が弾性変形することで、筒部６７の外周面とリップ部５３の先端部５７との摩擦抵抗を軽減できる。したがって、フィルタ装置６２をモータケース１２に取り付ける作業、または、フィルタ装置６２をモータケース１２から取り外す作業を容易に行うことができる。なお、第１シール部５５の接触面圧は、第２シール部６９の接触面圧よりも高く、フィルタ装置６２をモータケース１２から取り外す際に、シール部材５１がスリーブ３３から外れることを防止できる。
【００４４】
さらに、図９のようにシール部材５１をモータケース１２のスリーブ３３に取り付ける際、凸部５２が弾性変形することで、スリーブ３３の内周面７３と凸部５２との摩擦抵抗を軽減できる。したがって、シール部材５１をモータケース１２に取り付ける作業を容易に行うことができる。
【００４５】
次に、ダストケース１３がモータケース１２に取り付けられている状態で、作業者が、フィルタ装置６２に付着した異物を除去する作業を説明する。作業者はダストケース１３をモータケース１２に対して軸線Ａ１を中心として回転させる。この作業は、突起４９がガイド溝３８内で移動可能な範囲で行う。ダストケース１３がモータケース１２に対して回転すると、図７に示すブレード４８がフィルタ６４の表面を擦り、フィルタ６４の表面に付着している塵埃が掻き落とされる。
【００４６】
さらに、ダストケース１３をモータケース１２に対して軸線Ａ１方向に移動して、突起４９を出入り口４０から退出させると、ダストケース１３をモータケース１２から取り外すことができる。したがって、ダストケース１３の内部４４から塵埃を除去できる。集塵装置１０は、電池パック２１が取り付けられており、グリップ１４を手で握って移動可能な携帯用クリーナである。
【００４７】
一実施形態で説明した事項を簡単に説明すると、電動モータ１７はモータに相当し、集塵ファン２５はファンであり、スリーブ３３は支持部に相当し、ダストケース１３はカバーに相当し、スリーブ３５は規制部に相当し、フィルタハウジング６３は骨格部に相当する。
【００４８】
集塵装置は一実施形態に限定されるものではなく、その要旨を逸脱しない範囲で種々変更可能である。例えば、集塵装置は、シール部材を、フィルタ装置６２の筒部６７とスリーブ３５との間に配置する変更例を含む。この変形例では、スリーブ３５が支持部に相当する。この変更例では、シール部材の内周面がスリーブ３５の外周面に接触して第１シール部を形成し、リップ部が筒部６７の内周面に接触して第２シール部を形成する。また、リップ部は、図示した一実施形態または変更例において、軸線方向に複数配置されていてもよい。
【００４９】
さらに、シール部材をモータケースに取り付ける構成としては、シール部材に凸部を設け、モータケースのスリーブに環状溝を設け、凸部を環状溝に配置して、第１シール部を形成することも可能である。この場合、凸部と環状溝とが係合して、シール部材がモータケースに対して軸線方向に位置決めされる。
【００５０】
また、電動モータに電力を供給する電源は、直流電源または交流電源の何れでもよい。さらに、収容室に設けられ、かつ、集塵ファンを駆動するモータは、電動モータ、油圧モータ、空気圧モータを含む。集塵ファンは、遠心ファンの他、軸流ファン、斜流ファン、貫流ファンを含む。
【符号の説明】
【００５１】
１０…集塵装置、１１…ハウジング、１２…モータケース、１３…ダストケース、１７…電動モータ、２５…集塵ファン、３３，３５…スリーブ、３４…壁部、３７…通気路、４２…吸気ノズル、４４…内部、５１…シール部材、５２…凸部、５３…リップ部、５５…第１シール部、６２…フィルタ装置、６３…フィルタハウジング、６４…フィルタ、６７…筒部、６９…第２シール部、Ａ１…軸線。
【図１】
2018068726.tif 000003
【図２】
2018068726.tif 000004
【図３】
2018068726.tif 000005
【図４】
2018068726.tif 000006
【図５】
2018068726.tif 000007
【図６】
2018068726.tif 000008
【図７】
2018068726.tif 000009
【図８】
2018068726.tif 000010
【図９】
2018068726.tif 000011